(57)【要約】【課題】無線ＬＡＮアダプタの電源をオンにするための作業の煩雑さを低減する空気調和機を提供する。【解決手段】空気調和機１００は、本体電装部１５０と、無線ＬＡＮアダプタ１６０と、リモートコントローラ２００とを備える。本体電装部１５０は、本体制御部１５２を有する。無線ＬＡＮアダプタ１６０は、本体電装部１５０に接続されている。リモートコントローラ２００は、ユーザ操作に基づいて、赤外線により、本体制御部１５２にコマンド信号を送信する。本体制御部１５２は、無線ＬＡＮアダプタ１６０の電源に関するコマンド信号を受信した場合に、無線ＬＡＮアダプタ１６０の電源をオンにする。【選択図】図５
2017083149.tif 000002
【特許請求の範囲】
【請求項１】
本体制御部（１５２）を有する本体電装部（１５０）と、
前記本体電装部に接続された無線ＬＡＮアダプタ（１６０）と、
ユーザ操作に基づいて、無線ＬＡＮとは異なる通信規格で前記本体制御部にコマンド信号を送信するリモートコントローラ（２００）と、
を備え、
前記本体制御部は、前記無線ＬＡＮアダプタの電源に関する前記コマンド信号を受信した場合に、前記電源をオンにする、
空気調和機。
【請求項２】
前記本体制御部は、前記無線ＬＡＮアダプタの初期設定に関する前記コマンド信号を受信した場合に、前記初期設定に関する制御信号を前記無線ＬＡＮアダプタに送信し、
前記無線ＬＡＮアダプタは、前記制御信号に基づいて、前記初期設定を行う、
請求項１に記載の空気調和機。
【請求項３】
前記本体電装部は、表示部（１５４）をさらに有し、
前記表示部は、空調動作に関する表示を行うと共に、前記電源のオンに関する表示、および前記初期設定に関する表示を行う、
請求項２に記載の空気調和機。
【請求項４】
前記無線ＬＡＮアダプタは、前記本体電装部に隣接して配置されている、
請求項３に記載の空気調和機。
【請求項５】
前記本体電装部は、前記無線ＬＡＮアダプタに接続された電源供給部（１５３）を有し、
前記電源供給部は、前記表示部を挟んで、前記無線ＬＡＮアダプタとは反対側に配置されており、前記表示部を経由して前記無線ＬＡＮアダプタに電源電圧を供給することにより、前記電源をオンにする、
請求項４に記載の空気調和機。
【請求項６】
前記無線ＬＡＮアダプタは、ＤＣ−ＤＣコンバータ（１６４）を有し、
前記ＤＣ−ＤＣコンバータは、前記電源電圧を前記無線ＬＡＮアダプタ用の電源電圧に変換する、
請求項５に記載の空気調和機。
【請求項７】
室内熱交換器（１３０）と、
前記室内熱交換器で生じたドレン水を受け止めるドレンパン（１４０）と、
をさらに備え、
前記空気調和機が取り付けられる側壁側を後方とした場合に、前記無線ＬＡＮアダプタは、前記室内熱交換器および前記ドレンパンよりも前方で、かつ、通風経路外に配置されている、
請求項１から請求項６のいずれか１項に記載の空気調和機。
【発明の詳細な説明】
【技術分野】
【０００１】
本発明は、空気調和機に関する。
【背景技術】
【０００２】
前面パネルとエアフィルタとの間に無線ＬＡＮアダプタが配置された空気調和機が知られている（特許文献１（特開２０１５−０８１７２３号公報）参照）。
【発明の概要】
【発明が解決しようとする課題】
【０００３】
この種の空気調和機に内蔵されている無線ＬＡＮアダプタは、電源スイッチを備える。無線ＬＡＮアダプタの電源をオンにするためには、ユーザは、空気調和機の前面パネルをわざわざ開けて、電源スイッチを操作しなければならない。このため、無線ＬＡＮアダプタの電源をオンにするための作業は非常に煩雑である。
【０００４】
本発明の課題は、無線ＬＡＮアダプタの電源をオンにするための作業の煩雑さを低減する空気調和機を提供することである。
【課題を解決するための手段】
【０００５】
本発明の第１観点に係る空気調和機は、本体電装部と、無線ＬＡＮアダプタと、リモートコントローラとを備える。本体電装部は、本体制御部を有する。無線ＬＡＮアダプタは、本体電装部に接続されている。リモートコントローラは、ユーザ操作に基づいて、無線ＬＡＮとは異なる通信規格で本体制御部にコマンド信号を送信する。本体制御部は、無線ＬＡＮアダプタの電源に関するコマンド信号を受信した場合に、無線ＬＡＮアダプタの電源をオンにする。
【０００６】
本発明の第１観点に係る空気調和機では、ユーザは、リモートコントローラを操作することによって、無線ＬＡＮアダプタの電源をオンにすることができる。したがって、ユーザは、空気調和機の前面パネルをわざわざ開けて、無線ＬＡＮアダプタを直接操作しなくてもよい。よって、無線ＬＡＮアダプタの電源をオンにするための作業の煩雑さを低減することができる。また、無線ＬＡＮアダプタが電源スイッチを備えなくてもよいので、無線ＬＡＮアダプタの構成を簡略化することができる。
【０００７】
本発明の第２観点に係る空気調和機においては、本体制御部は、無線ＬＡＮアダプタの初期設定に関するコマンド信号を受信した場合に、無線ＬＡＮアダプタの初期設定に関する制御信号を無線ＬＡＮアダプタに送信する。無線ＬＡＮアダプタは、制御信号に基づいて、初期設定を行う。
【０００８】
本発明の第２観点に係る空気調和機では、ユーザは、リモートコントローラを操作することによって、無線ＬＡＮアダプタの初期設定を行うことができる。したがって、ユーザは、空気調和機の前面パネルをわざわざ開けて、無線ＬＡＮアダプタを直接操作しなくてもよい。よって、無線ＬＡＮアダプタの初期設定を行うための作業の煩雑さを低減することができる。また、無線ＬＡＮアダプタが初期設定用のスイッチを備えなくてもよいので、無線ＬＡＮアダプタの構成を簡略化することができる。
【０００９】
本発明の第３観点に係る空気調和機においては、本体電装部は、表示部をさらに有する。表示部は、空調動作に関する表示を行うと共に、電源のオンに関する表示、および初期設定に関する表示を行う。すなわち、表示部は、本体制御部および無線ＬＡＮアダプタにより兼用されている。
【００１０】
したがって、本発明の第３観点に係る空気調和機では、無線ＬＡＮアダプタが表示部を別途備えなくてもよいので、無線ＬＡＮアダプタの構成を簡略化することができる。
【００１１】
本発明の第４観点に係る空気調和機においては、無線ＬＡＮアダプタは、本体電装部に隣接して配置されている。
【００１２】
本発明の第４観点に係る空気調和機では、無線ＬＡＮアダプタは、本体電装部に隣接して配置されているので、ワイヤハーネスの長さの増大を抑制することができる。
【００１３】
本発明の第５観点に係る空気調和機においては、本体電装部は、無線ＬＡＮアダプタに接続された電源供給部を有する。電源供給部は、表示部を挟んで、無線ＬＡＮアダプタとは反対側に配置されている。電源供給部は、表示部を経由して無線ＬＡＮアダプタに電源電圧を供給することにより、無線ＬＡＮアダプタの電源をオンにする。
【００１４】
本発明の第５観点に係る空気調和機では、無線ＬＡＮアダプタは、電源供給部から直接に電源電圧を得るのではなく、表示部を経由して電源電圧を得る。表示部は、電源供給部よりも無線ＬＡＮアダプタに近い位置に配置されているので、ワイヤハーネスの長さの増大を抑制することができる。
【００１５】
本発明の第６観点に係る空気調和機においては、無線ＬＡＮアダプタは、ＤＣ−ＤＣコンバータを有する。ＤＣ−ＤＣコンバータは、電源供給部から供給された電源電圧を無線ＬＡＮアダプタ用の電源電圧に変換する。
【００１６】
本発明の第６観点に係る空気調和機では、無線ＬＡＮアダプタ内で、無線ＬＡＮアダプタの各種回路で必要な電源電圧を得ることができる。
【００１７】
本発明の第７観点に係る空気調和機は、室内熱交換器と、ドレンパンとをさらに備える。ドレンパンは、室内熱交換器で生じたドレン水を受け止める。空気調和機が取り付けられる側壁側を後方とした場合に、無線ＬＡＮアダプタは、室内熱交換器およびドレンパンよりも前方で、かつ、通風経路外に配置されている。
【００１８】
本発明の第７観点に係る空気調和機では、無線ＬＡＮアダプタは、室内熱交換器およびドレンパンよりも前方で、かつ、通風経路外に配置されている。したがって、通風性能を低下させることなく、無線ＬＡＮアダプタを配置することができる。
【発明の効果】
【００１９】
本発明の第１観点に係る空気調和機では、無線ＬＡＮアダプタの電源をオンにするための作業の煩雑さを低減することができる。
【００２０】
本発明の第２観点に係る空気調和機では、無線ＬＡＮアダプタの初期設定を行うための作業の煩雑さを低減することができる。
【００２１】
本発明の第３観点に係る空気調和機では、無線ＬＡＮアダプタが表示部を別途備えなくてもよいので、無線ＬＡＮアダプタの構成を簡略化することができる。
【００２２】
本発明の第４観点に係る空気調和機では、ワイヤハーネスの長さの増大を抑制することができる。
【００２３】
本発明の第５観点に係る空気調和機では、ワイヤハーネスの長さの増大を抑制することができる。
【００２４】
本発明の第６観点に係る空気調和機では、無線ＬＡＮアダプタ内で、無線ＬＡＮアダプタの各種回路で必要な電源電圧を得ることができる。
【００２５】
本発明の第７観点に係る空気調和機では、通風性能を低下させることなく、無線ＬＡＮアダプタを配置することができる。
【図面の簡単な説明】
【００２６】
【図１】空気調和機の外観斜視図である。
【図２】前面グリルが取り外された空気調和機の外観斜視図である。
【図３】図１のＩＩＩ−ＩＩＩ断面図である。
【図４】空気調和機の機能ブロックの一例を説明する図である。
【図５】無線ＬＡＮアダプタの初期設定に関する処理のフローチャートの一例を示す図である。
【発明を実施するための形態】
【００２７】
本発明の実施形態を以下に示す。なお、以下の実施形態は、具体例に過ぎず、特許請求の範囲に係る発明を限定するものではない。
【００２８】
＜第１実施形態＞
（１）空気調和機の構成
図１は、本発明の一実施形態に係る空気調和機１００の外観斜視図である。本明細書では、「前」、「後」、「上」、「下」、「左」、および「右」の６つの方向は、図１に示されるように定義される。図２は、後述の前面グリル１１７が取り外された空気調和機１００の外観斜視図である。図３は、図１のＩＩＩ−ＩＩＩ断面図である。
【００２９】
空気調和機１００は、主として、本体ケーシング１１０、室内ファン１２０、室内熱交換器１３０、ドレンパン１４０、本体電装部１５０、無線ＬＡＮアダプタ１６０、およびストリーマ放電ユニット１８０を備える。本体ケーシング１１０の背面側が側壁ＷＬに取り付けられることにより、空気調和機１００は、室内ＲＳの側壁ＷＬに設置される。
【００３０】
（１−１）本体ケーシング
本体ケーシング１１０は、背面板１１１、天板１１３、左側板１１４、右側板１１５、および前面板１１６により構成されている。本体ケーシング１１０は、室内ファン１２０、室内熱交換器１３０、ドレンパン１４０、本体電装部１５０、無線ＬＡＮアダプタ１６０、およびストリーマ放電ユニット１８０等を収納している。本体ケーシング１１０の上部には、吸込口１０１が形成されている。本体ケーシング１１０の下部の中央付近には、調和空気を吹き出す吹出口１０２が形成されている。
【００３１】
（１−２）室内ファン
室内ファン１２０は、本体ケーシング１１０の、上下方向における略中央部分に配置されている。室内ファン１２０は、クロスフローファンである。室内ファン１２０は、ファンモータに接続されている。室内ファン１２０がファンモータの駆動により回転すると、室内の空気は、吸込口１０１から本体ケーシング１１０の内部に吸い込まれる。吸い込まれた空気は、室内熱交換器１３０を通過した後、吹出口１０２に通じる案内流路を案内されて、最終的に吹出口１０２から吹き出される。
【００３２】
（１−３）室内熱交換器
室内熱交換器１３０は、室内ファン１２０の一部を覆うように配置されている。より詳細には、室内熱交換器１３０は、室内ファン１２０の上部付近、すなわち、室内ファン１２０の前方下側付近から室内ファン１２０の後方上側付近にかけて、位置している。室内熱交換器１３０は、冷房運転時に冷媒の蒸発器として機能し、暖房運転時に冷媒の凝縮器として機能する。
【００３３】
（１−４）ドレンパン
ドレンパン１４０は、室内熱交換器１３０の前方下側に配置されている。ドレンパン１４０は、室内熱交換器１３０で生じたドレン水を受け止める。
【００３４】
（１−５）本体電装部
本体電装部１５０は、室内熱交換器１３０およびドレンパン１４０の前方に配置されている。本体電装部１５０は、通風経路外に配置されている。本実施形態においては、本体電装部１５０は、前面グリル１１７の上面（裏面）側に配置されている。
【００３５】
詳しくは後述するが、本体電装部１５０は、赤外線受信部１５１と、電源供給部１５３と、表示部１５４とを有する。電源供給部１５３は、表示部１５４を挟んで、無線ＬＡＮアダプタ１６０とは反対側に配置されている。
【００３６】
（１−６）無線ＬＡＮアダプタ
無線ＬＡＮアダプタ１６０は、室内熱交換器１３０およびドレンパン１４０の前方に配置されている。無線ＬＡＮアダプタ１６０は、通風経路外に配置されている。本実施形態においては、本体電装部１５０は、前面グリル１１７の上面側に配置されている。無線ＬＡＮアダプタ１６０は、本体電装部１５０に隣接して位置している。無線ＬＡＮアダプタ１６０は、ワイヤハーネス１７０を介して、本体電装部１５０に電気的に接続されている。
【００３７】
（１−７）ストリーマ放電ユニット
ストリーマ放電ユニット１８０は、室内熱交換器１３０およびドレンパン１４０の前方に配置されている。ストリーマ放電ユニット１８０は、通風経路外に配置されている。本実施形態においては、ストリーマ放電ユニット１８０は、前面グリル１１７の上面側に配置されている。ストリーマ放電ユニット１８０は、無線ＬＡＮアダプタ１６０を挟んで、本体電装部１５０とは反対側に配置されている。ストリーマ放電ユニット１８０は、ストリーマ放電により低温プラズマを生成して被処理空気を清浄化する。
【００３８】
（２）空気調和機の機能ブロック
図４は、空気調和機１００の機能ブロックの一例を説明する図である。空気調和機１００は、本体電装部１５０および無線ＬＡＮアダプタ１６０に加えて、リモートコントローラ２００をさらに備える。
【００３９】
リモートコントローラ２００は、無線ＬＡＮとは異なる通信規格で、ユーザ操作に応じたコマンド信号を本体電装部１５０に送信する。本実施形態においては、リモートコントローラ２００は、赤外線により、コマンド信号を送信する。コマンド信号は、無線ＬＡＮアダプタ１６０の電源に関するコマンド信号、および無線ＬＡＮアダプタ１６０の初期設定に関するコマンド信号を含む。
【００４０】
リモートコントローラ２００は、液晶表示部を有する。ユーザは、リモートコントローラ２００を操作することにより、液晶表示部に各種のメニュー画面等を表示させることができる。また、各種のメニュー画面の項目を選択することができる。
【００４１】
本体電装部１５０は、赤外線受信部１５１、電源供給部１５３、および表示部１５４に加えて、本体制御部１５２を有する。本体制御部１５２は、赤外線受信部１５１、電源供給部１５３、および表示部１５４に電気的に接続されている。
【００４２】
赤外線受信部１５１は、リモートコントローラ２００から送信されるコマンド信号を受信する。赤外線受信部１５１は、受信したコマンド信号を本体制御部１５２に送信する。
【００４３】
本体制御部１５２は、ＭＰＵ、ＲＯＭおよびＲＡＭ等から構成されたコンピュータである。本体制御部１５２は、赤外線受信部１５１から送信されるコマンド信号を受信し、受信したコマンド信号に応じて、空気調和機１００の各種の設定を行う。特に、本実施形態においては、本体制御部１５２は、無線ＬＡＮアダプタ１６０の電源に関するコマンド信号を受信すると、受信したコマンド信号に応じて、電源供給部１５３を制御する。
【００４４】
本体制御部１５２は、ワイヤハーネス１７０を介して、後述の無線制御部１６２と通信する。本体制御部１５２は、無線ＬＡＮアダプタ１６０の初期設定に関するコマンド信号を受信すると、初期設定に関する制御信号を無線制御部１６２に送信する。
【００４５】
本体制御部１５２は、無線制御部１６２との通信に応じて、表示部１５４を制御する。また、リモートコントローラ２００との通信に応じて、表示部１５４を制御する。
【００４６】
電源供給部１５３は、赤外線受信部１５１、本体制御部１５２、表示部１５４、および無線ＬＡＮアダプタ１６０に電源電圧を供給する。本実施形態においては、電源供給部１５３は、表示部１５４を経由して、無線ＬＡＮアダプタ１６０に電源電圧を供給する。換言すると、無線ＬＡＮアダプタ１６０は、電源供給部１５３から直接に電源電圧を得るのではなく、表示部１５４から電源電圧を得る。
【００４７】
表示部１５４は、１以上のＬＥＤにより構成されている。本実施形態においては、表示部１５４は、空調動作に関する表示を行うと共に、無線ＬＡＮアダプタ１６０の動作に関する表示を行う。すなわち、表示部１５４は、本体制御部１５２および無線ＬＡＮアダプタ１６０に兼用される。表示部１５４は、無線ＬＡＮアダプタ１６０の動作に関する表示として、例えば、無線ＬＡＮアダプタ１６０の電源のオンに関する表示、および無線ＬＡＮアダプタ１６０の初期設定に関する表示を行う。
【００４８】
無線ＬＡＮアダプタ１６０は、空気調和機１００を無線によりＬＡＮに接続するためのネットワークアダプタである。無線ＬＡＮアダプタ１６０は、無線通信部１６１と、無線制御部１６２と、電源受給部１６３とを有する。無線制御部１６２は、無線通信部１６１および電源受給部１６３に電気的に接続されている。
【００４９】
無線通信部１６１は、無線ＬＡＮ７００を介して、ルータ５００に接続されている。無線通信部１６１は、無線ＬＡＮ７００を介して、通信端末３００および外部サーバ６００と通信する。
【００５０】
無線制御部１６２は、ＭＰＵ、ＲＯＭおよびＲＡＭ等から構成されたコンピュータである。ＲＯＭには、無線ＬＡＮアダプタ１６０の初期設定に関するプログラム等が記憶されている。無線制御部１６２は、通信端末３００または外部サーバ６００から送信された、空気調和機１００の操作コマンドを受信する。受信した操作コマンドに応じて本体制御部１５２と通信する。無線制御部１６２は、本体制御部１５２から送信された空気調和機１００に関する情報を受信する。受信した空気調和機１００に関する情報に応じて、通信端末３００または外部サーバ６００と通信する。
【００５１】
無線制御部１６２は、無線ＬＡＮアダプタ１６０の初期設定に関する制御信号を本体制御部１５２から受信する。無線制御部１６２は、受信した制御信号に基づいて、初期設定を行う。初期設定は、無線ＬＡＮアダプタ１６０とルータ５００の接続設定、および無線ＬＡＮアダプタ１６０と通信端末３００の接続設定を含む。
【００５２】
電源受給部１６３は、表示部１５４を介して電源供給部１５３から供給される電源電圧を受給する。電源受給部１６３は、ＤＣ−ＤＣコンバータ１６４を含む。ＤＣ−ＤＣコンバータ１６４は、電源供給部１５３から供給される電源電圧を変換し、無線ＬＡＮアダプタ用の電源電圧を生成する。電源受給部１６３は、無線通信部１６１および無線制御部１６２に生成した電源電圧を供給する。
【００５３】
既に説明したように、無線ＬＡＮアダプタ１６０は、表示部１５４を本体制御部１５２と兼用するので、表示部を備えていない。すなわち、ＬＥＤを備えていない。また、詳しくは後述するが、無線ＬＡＮアダプタ１６０の電源オンおよび初期設定は、リモートコントローラ２００を介して行われるので、無線ＬＡＮアダプタ１６０は、電源スイッチおよび初期設定用スイッチを備えていない。
【００５４】
通信端末３００は、スマートフォン、タブレット、携帯電話、ノートＰＣ等の通信端末である。通信端末３００は、インターネット４００を介して、外部サーバ６００と通信する。通信端末３００は、例えば、外部サーバ６００から空調管理アプリケーションをダウンロードする。通信端末３００は、インターネット４００を介して、無線ＬＡＮアダプタ１６０と通信する。ユーザは、空調管理アプリケーションを利用することにより、空気調和機１００に関する情報を監視したり、空気調和機１００の操作を行ったりすることができる。なお、通信端末３００は、インターネット４００を介さずに、無線ＬＡＮを介して、無線ＬＡＮアダプタ１６０と通信することもできる。すなわち、通信端末３００は、外部サーバ６００を介さずに、無線ＬＡＮアダプタ１６０に直接に空気調和機１００の操作コマンドを送信したり、無線ＬＡＮアダプタ１６０から直接に空気調和機１００に関する情報を受信したりすることもできる。
【００５５】
ルータ５００は、ＷＡＮ側のインターフェースと、ＬＡＮ側のインターフェースとを有する。ルータ５００は、ＷＡＮとＬＡＮを相互接続させる。無線ＬＡＮアダプタ１６０が無線ＬＡＮに接続されると、ルータ５００は、無線ＬＡＮアダプタ１６０を自動的に検出し、ネットワーク情報を登録する。これにより、無線ＬＡＮアダプタ１６０は、無線ＬＡＮに接続されている他のネットワーク機器、およびインターネット４００上のネットワーク機器と通信することができる。
【００５６】
外部サーバ６００は、空気調和機１００の空調管理サービスを行う。外部サーバ６００は、空調管理アプリケーションを実行している通信端末３００と適宜通信する。例えば、空気調和機１００の操作コマンドを通信端末３００から受信する。外部サーバ６００は、受信した操作コマンドを無線ＬＡＮアダプタ１６０に送信する。また、空気調和機１００に関する情報を無線ＬＡＮアダプタ１６０から受信する。外部サーバ６００は、空気調和機１００に関する情報を通信端末３００に送信する。
【００５７】
（３）フローチャート
図５は、無線ＬＡＮアダプタ１６０の初期設定に関する処理のフローチャートの一例を示す図である。本フローチャートは、空気調和機１００の電源がオンされ、かつ、リモートコントローラ２００のメニュー画面を介して、電源および初期設定の項目が選択された場合に開始される。
【００５８】
本体制御部１５２は、電源コマンド信号を受信したか判定する（ステップＳ１０１）。ユーザは、例えば、リモートコントローラ２００のメニュー画面から電源オンボタンを選択する。これにより、本体制御部１５２に電源コマンド信号を送信することができる。
【００５９】
本体制御部１５２は、電源コマンド信号を受信していないと判定した場合には（ステップＳ１０１でＮＯ）、そのまま待機する。本体制御部１５２は、電源コマンド信号を受信したと判定した場合には（ステップＳ１０１でＹＥＳ）、無線ＬＡＮアダプタ１６０に電源電圧を供給する（ステップＳ１０２）。これにより、無線ＬＡＮアダプタ１６０の電源はオンされる。
【００６０】
続いて、本体制御部１５２は、初期設定コマンド信号を受信したか判定する（ステップＳ１０３）。ユーザは、例えば、リモートコントローラ２００のメニュー画面から初期設定ボタンを選択する。これにより、本体制御部１５２に初期設定コマンド信号を送信することができる。
【００６１】
本体制御部１５２は、初期設定コマンド信号を受信していないと判定した場合には（ステップＳ１０３でＮＯ）、そのまま待機する。本体制御部１５２は、初期設定コマンド信号を受信したと判定した場合には（ステップＳ１０３でＹＥＳ）、無線ＬＡＮアダプタ１６０に初期設定に関する制御信号を送信して（ステップＳ１０４）、一連の処理を終了する。無線ＬＡＮアダプタ１６０は、初期設定に関する制御信号を受信すると、無線ＬＡＮアダプタ１６０の初期設定に関するプログラムを実行する。
【００６２】
（４）空気調和機の特徴
本実施形態の空気調和機１００は、本体電装部１５０と、無線ＬＡＮアダプタ１６０と、リモートコントローラ２００とを備える。本体電装部１５０は、本体制御部１５２を有する。無線ＬＡＮアダプタ１６０は、本体電装部１５０に接続されている。リモートコントローラ２００は、ユーザ操作に基づいて、赤外線により、本体制御部１５２にコマンド信号を送信する。本体制御部１５２は、無線ＬＡＮアダプタ１６０の電源に関するコマンド信号を受信した場合に、無線ＬＡＮアダプタ１６０の電源をオンにする。
【００６３】
本実施形態の空気調和機１００では、ユーザは、リモートコントローラ２００を操作することによって、無線ＬＡＮアダプタ１６０の電源をオンにすることができる。したがって、ユーザは、空気調和機１００の前面パネルをわざわざ開けて、無線ＬＡＮアダプタ１６０を直接操作しなくてもよい。よって、無線ＬＡＮアダプタ１６０の電源をオンにするための作業の煩雑さを低減することができる。また、無線ＬＡＮアダプタ１６０が電源スイッチを備えなくてもよいので、無線ＬＡＮアダプタ１６０の構成を簡略化することができる。
【００６４】
本実施形態の空気調和機１００においては、本体制御部１５２は、無線ＬＡＮアダプタ１６０の初期設定に関するコマンド信号を受信した場合に、初期設定に関する制御信号を無線ＬＡＮアダプタ１６０に送信する。無線ＬＡＮアダプタ１６０は、制御信号に基づいて、初期設定を行う。
【００６５】
本実施形態の空気調和機１００では、ユーザは、リモートコントローラ２００を操作することによって、無線ＬＡＮアダプタ１６０の初期設定を行うことができる。したがって、ユーザは、空気調和機１００の前面パネルをわざわざ開けて、無線ＬＡＮアダプタ１６０を直接操作しなくてもよい。よって、無線ＬＡＮアダプタ１６０の初期設定をするための作業の煩雑さを低減することができる。また、無線ＬＡＮアダプタ１６０が初期設定用スイッチを備えなくてもよいので、無線ＬＡＮアダプタ１６０の構成を簡略化することができる。
【００６６】
本実施形態の空気調和機１００においては、本体電装部１５０は、表示部１５４を有する。表示部１５４は、空気調和機１００の空調動作に関する表示を行うと共に、無線ＬＡＮアダプタ１６０の動作に関する表示を行う。すなわち、表示部１５４は、本体制御部１５２および無線ＬＡＮアダプタ１６０により兼用されている。無線ＬＡＮアダプタ１６０が表示部を別途備えなくてもよいので、無線ＬＡＮアダプタ１６０の構成を簡略化することができる。
【００６７】
本実施形態の空気調和機１００においては、無線ＬＡＮアダプタ１６０は、本体電装部１５０に隣接して配置されている。したがって、ワイヤハーネス１７０の長さの増大を抑制することができる。
【００６８】
本実施形態の空気調和機１００においては、本体電装部１５０は、無線ＬＡＮアダプタ１６０に接続された電源供給部１５３を有する。電源供給部１５３は、表示部１５４を挟んで、無線ＬＡＮアダプタ１６０とは反対側に配置されている。電源供給部１５３は、表示部１５４を経由して、無線ＬＡＮアダプタ１６０に電源電圧を供給することにより、無線ＬＡＮアダプタ１６０の電源をオンにする。すなわち、無線ＬＡＮアダプタ１６０は、電源供給部１５３から直接に電源電圧を得るのではなく、表示部１５４から電源電圧を得る。表示部１５４は、電源供給部１５３よりも無線ＬＡＮアダプタ１６０に近い位置に配置されているので、ワイヤハーネス１７０の長さの増大を抑制することができる。
【００６９】
本実施形態の空気調和機１００においては、無線ＬＡＮアダプタ１６０は、ＤＣ−ＤＣコンバータ１６４を有する。ＤＣ−ＤＣコンバータ１６４は、本体電装部１５０から供給された電源電圧を無線ＬＡＮアダプタ用の電源電圧に変換する。これにより、無線ＬＡＮアダプタ１６０内で、無線ＬＡＮアダプタ１６０の各種回路で必要な電源電圧を得ることができる。
【００７０】
本実施形態の空気調和機１００においては、無線ＬＡＮアダプタ１６０は、室内熱交換器１３０およびドレンパン１４０よりも前方で、かつ、通風経路外に配置されている。したがって、通風性能を低下させることなく、無線ＬＡＮアダプタ１６０を配置することができる。
【００７１】
＜変形例＞
本発明の実施形態に適用可能な変形例を説明する。
【００７２】
（１）変形例Ａ
以上の説明では、無線ＬＡＮアダプタ１６０は、室内熱交換器１３０およびドレンパン１４０よりも前方に配置されたが、通風経路外であれば、他の部分に配置されてもよい。
【００７３】
（２）変形例Ｂ
以上の説明では、リモートコントローラ２００は、赤外線により、本体制御部１５２と通信したが、他の近距離無線通信規格により、本体制御部１５２と通信してもよい。例えば、ブルートゥースを挙げることができる。
【００７４】
以上のように、本発明は実施形態を用いて説明されたが、本発明の技術的範囲は上記の実施形態に記載の範囲に限定されない。多様な変更または改良を上記の実施形態に加えることが可能であることは、当業者に明らかである。その様な変更または改良を加えた形態も本発明の技術的範囲に含まれ得ることは、特許請求の範囲の記載から明らかである。
【００７５】
特許請求の範囲、明細書、および図面中に示した装置、プログラム、および方法における動作、手順、ステップ、段階等の各処理の実行順序は、特段「より前に」、「先立って」等と明示しておらず、また、前の処理の出力を後の処理で用いる場合でない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７６】
１００  空気調和機
１３０  室内熱交換器
１４０  ドレンパン
１５０  本体電装部
１５２  本体制御部
１５３  電源供給部
１５４  表示部
１６０  無線ＬＡＮアダプタ
１６４  ＤＣ−ＤＣコンバータ
２００  リモートコントローラ
【先行技術文献】
【特許文献】
【００７７】
【特許文献１】特開２０１５−０８１７２３号公報
【図１】
2017083149.tif 000003
【図２】
2017083149.tif 000004
【図３】
2017083149.tif 000005
【図４】
2017083149.tif 000006
【図５】
2017083149.tif 000007
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
表示部（１５４）、電源供給部（１５３）および本体制御部（１５２）を有する本体電装部（１５０）と、
前記本体電装部（１５０）に隣接して配置され、前記本体電装部に接続された無線ＬＡＮアダプタ（１６０）と、
ユーザ操作に基づいて、無線ＬＡＮとは異なる通信規格で前記本体制御部にコマンド信号を送信するリモートコントローラ（２００）と、
を備え、
前記本体制御部は、前記無線ＬＡＮアダプタの電源に関する前記コマンド信号を受信した場合に、前記電源をオンにし、
前記電源供給部（１５３）は、
前記無線ＬＡＮアダプタに接続され、
前記表示部を挟んで、前記無線ＬＡＮアダプタとは反対側に配置されており、
前記表示部を経由して前記無線ＬＡＮアダプタに電源電圧を供給することにより、前記電源をオンにする、
空気調和機。
【請求項２】
前記本体制御部は、前記無線ＬＡＮアダプタの初期設定に関する前記コマンド信号を受信した場合に、前記初期設定に関する制御信号を前記無線ＬＡＮアダプタに送信し、
前記無線ＬＡＮアダプタは、前記制御信号に基づいて、前記初期設定を行う、
請求項１に記載の空気調和機。
【請求項３】
前記表示部は、空調動作に関する表示を行うと共に、前記電源のオンに関する表示、および前記初期設定に関する表示を行う、
請求項１又は２に記載の空気調和機。
【請求項４】
前記無線ＬＡＮアダプタは、ＤＣ−ＤＣコンバータ（１６４）を有し、
前記ＤＣ−ＤＣコンバータは、前記電源電圧を前記無線ＬＡＮアダプタ用の電源電圧に変換する、
請求項１から請求項３のいずれか１項に記載の空気調和機。
【請求項５】
室内熱交換器（１３０）と、
前記室内熱交換器で生じたドレン水を受け止めるドレンパン（１４０）と、
をさらに備え、
前記空気調和機が取り付けられる側壁側を後方とした場合に、前記無線ＬＡＮアダプタは、前記室内熱交換器および前記ドレンパンよりも前方で、かつ、通風経路外に配置されている、
請求項１から請求項４のいずれか１項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、空気調和機に関する。
【背景技術】
【０００２】
前面パネルとエアフィルタとの間に無線ＬＡＮアダプタが配置された空気調和機が知られている（特許文献１（特開２０１５−０８１７２３号公報）参照）。
【発明の概要】
【発明が解決しようとする課題】
【０００３】
この種の空気調和機に内蔵されている無線ＬＡＮアダプタは、電源スイッチを備える。無線ＬＡＮアダプタの電源をオンにするためには、ユーザは、空気調和機の前面パネルをわざわざ開けて、電源スイッチを操作しなければならない。このため、無線ＬＡＮアダプタの電源をオンにするための作業は非常に煩雑である。
【０００４】
本発明の課題は、無線ＬＡＮアダプタの電源をオンにするための作業の煩雑さを低減する空気調和機を提供することである。
【課題を解決するための手段】
【０００５】
本発明の第１観点に係る空気調和機は、本体電装部と、無線ＬＡＮアダプタと、リモートコントローラとを備える。本体電装部は、表示部、電源供給部および本体制御部を有する。無線ＬＡＮアダプタは、本体電装部に隣接して配置され、本体電装部に接続されている。リモートコントローラは、ユーザ操作に基づいて、無線ＬＡＮとは異なる通信規格で本体制御部にコマンド信号を送信する。本体制御部は、無線ＬＡＮアダプタの電源に関するコマンド信号を受信した場合に、無線ＬＡＮアダプタの電源をオンにする。電源供給部は、無線ＬＡＮアダプタに接続され、表示部を挟んで無線ＬＡＮアダプタとは反対側に配置されており、表示部を経由して無線ＬＡＮアダプタに電源電圧を供給することにより電源をオンにする。
【０００６】
本発明の第１観点に係る空気調和機では、ユーザは、リモートコントローラを操作することによって、無線ＬＡＮアダプタの電源をオンにすることができる。したがって、ユーザは、空気調和機の前面パネルをわざわざ開けて、無線ＬＡＮアダプタを直接操作しなくてもよい。よって、無線ＬＡＮアダプタの電源をオンにするための作業の煩雑さを低減することができる。また、無線ＬＡＮアダプタが電源スイッチを備えなくてもよいので、無線ＬＡＮアダプタの構成を簡略化することができる。
【０００７】
また、本発明の第１観点に係る空気調和機では、無線ＬＡＮアダプタは、本体電装部に隣接して配置されているので、ワイヤハーネスの長さの増大を抑制することができる。
【０００８】
また、本発明の第１観点に係る空気調和機では、無線ＬＡＮアダプタは、電源供給部から直接に電源電圧を得るのではなく、表示部を経由して電源電圧を得る。表示部は、電源供給部よりも無線ＬＡＮアダプタに近い位置に配置されているので、ワイヤハーネスの長さの増大を抑制することができる。
【０００９】
本発明の第２観点に係る空気調和機においては、本体制御部は、無線ＬＡＮアダプタの初期設定に関するコマンド信号を受信した場合に、無線ＬＡＮアダプタの初期設定に関する制御信号を無線ＬＡＮアダプタに送信する。無線ＬＡＮアダプタは、制御信号に基づいて、初期設定を行う。
【００１０】
本発明の第２観点に係る空気調和機では、ユーザは、リモートコントローラを操作することによって、無線ＬＡＮアダプタの初期設定を行うことができる。したがって、ユーザは、空気調和機の前面パネルをわざわざ開けて、無線ＬＡＮアダプタを直接操作しなくてもよい。よって、無線ＬＡＮアダプタの初期設定を行うための作業の煩雑さを低減することができる。また、無線ＬＡＮアダプタが初期設定用のスイッチを備えなくてもよいので、無線ＬＡＮアダプタの構成を簡略化することができる。
【００１１】
本発明の第３観点に係る空気調和機においては、表示部は、空調動作に関する表示を行うと共に、電源のオンに関する表示、および初期設定に関する表示を行う。すなわち、表示部は、本体制御部および無線ＬＡＮアダプタにより兼用されている。
【００１２】
したがって、本発明の第３観点に係る空気調和機では、無線ＬＡＮアダプタが表示部を別途備えなくてもよいので、無線ＬＡＮアダプタの構成を簡略化することができる。
【００１３】
本発明の第４観点に係る空気調和機においては、無線ＬＡＮアダプタは、ＤＣ−ＤＣコンバータを有する。ＤＣ−ＤＣコンバータは、電源供給部から供給された電源電圧を無線ＬＡＮアダプタ用の電源電圧に変換する。
【００１４】
本発明の第４観点に係る空気調和機では、無線ＬＡＮアダプタ内で、無線ＬＡＮアダプタの各種回路で必要な電源電圧を得ることができる。
【００１５】
本発明の第５観点に係る空気調和機は、室内熱交換器と、ドレンパンとをさらに備える。ドレンパンは、室内熱交換器で生じたドレン水を受け止める。空気調和機が取り付けられる側壁側を後方とした場合に、無線ＬＡＮアダプタは、室内熱交換器およびドレンパンよりも前方で、かつ、通風経路外に配置されている。
【００１６】
本発明の第５観点に係る空気調和機では、無線ＬＡＮアダプタは、室内熱交換器およびドレンパンよりも前方で、かつ、通風経路外に配置されている。したがって、通風性能を低下させることなく、無線ＬＡＮアダプタを配置することができる。
【発明の効果】
【００１７】
本発明の第１観点に係る空気調和機では、無線ＬＡＮアダプタの電源をオンにするための作業の煩雑さを低減することができる。また、本発明の第１観点に係る空気調和機では、ワイヤハーネスの長さの増大を抑制することができる。
【００１８】
本発明の第２観点に係る空気調和機では、無線ＬＡＮアダプタの初期設定を行うための作業の煩雑さを低減することができる。
【００１９】
本発明の第３観点に係る空気調和機では、無線ＬＡＮアダプタが表示部を別途備えなくてもよいので、無線ＬＡＮアダプタの構成を簡略化することができる。
【００２０】
本発明の第４観点に係る空気調和機では、無線ＬＡＮアダプタ内で、無線ＬＡＮアダプタの各種回路で必要な電源電圧を得ることができる。
【００２１】
本発明の第５観点に係る空気調和機では、通風性能を低下させることなく、無線ＬＡＮアダプタを配置することができる。
【図面の簡単な説明】
【００２２】
【図１】空気調和機の外観斜視図である。
【図２】前面グリルが取り外された空気調和機の外観斜視図である。
【図３】図１のＩＩＩ−ＩＩＩ断面図である。
【図４】空気調和機の機能ブロックの一例を説明する図である。
【図５】無線ＬＡＮアダプタの初期設定に関する処理のフローチャートの一例を示す図である。
【発明を実施するための形態】
【００２３】
本発明の実施形態を以下に示す。なお、以下の実施形態は、具体例に過ぎず、特許請求の範囲に係る発明を限定するものではない。
【００２４】
＜第１実施形態＞
（１）空気調和機の構成
図１は、本発明の一実施形態に係る空気調和機１００の外観斜視図である。本明細書では、「前」、「後」、「上」、「下」、「左」、および「右」の６つの方向は、図１に示されるように定義される。図２は、後述の前面グリル１１７が取り外された空気調和機１００の外観斜視図である。図３は、図１のＩＩＩ−ＩＩＩ断面図である。
【００２５】
空気調和機１００は、主として、本体ケーシング１１０、室内ファン１２０、室内熱交換器１３０、ドレンパン１４０、本体電装部１５０、無線ＬＡＮアダプタ１６０、およびストリーマ放電ユニット１８０を備える。本体ケーシング１１０の背面側が側壁ＷＬに取り付けられることにより、空気調和機１００は、室内ＲＳの側壁ＷＬに設置される。
【００２６】
（１−１）本体ケーシング
本体ケーシング１１０は、背面板１１１、天板１１３、左側板１１４、右側板１１５、および前面板１１６により構成されている。本体ケーシング１１０は、室内ファン１２０、室内熱交換器１３０、ドレンパン１４０、本体電装部１５０、無線ＬＡＮアダプタ１６０、およびストリーマ放電ユニット１８０等を収納している。本体ケーシング１１０の上部には、吸込口１０１が形成されている。本体ケーシング１１０の下部の中央付近には、調和空気を吹き出す吹出口１０２が形成されている。
【００２７】
（１−２）室内ファン
室内ファン１２０は、本体ケーシング１１０の、上下方向における略中央部分に配置されている。室内ファン１２０は、クロスフローファンである。室内ファン１２０は、ファンモータに接続されている。室内ファン１２０がファンモータの駆動により回転すると、室内の空気は、吸込口１０１から本体ケーシング１１０の内部に吸い込まれる。吸い込まれた空気は、室内熱交換器１３０を通過した後、吹出口１０２に通じる案内流路を案内されて、最終的に吹出口１０２から吹き出される。
【００２８】
（１−３）室内熱交換器
室内熱交換器１３０は、室内ファン１２０の一部を覆うように配置されている。より詳細には、室内熱交換器１３０は、室内ファン１２０の上部付近、すなわち、室内ファン１２０の前方下側付近から室内ファン１２０の後方上側付近にかけて、位置している。室内熱交換器１３０は、冷房運転時に冷媒の蒸発器として機能し、暖房運転時に冷媒の凝縮器として機能する。
【００２９】
（１−４）ドレンパン
ドレンパン１４０は、室内熱交換器１３０の前方下側に配置されている。ドレンパン１４０は、室内熱交換器１３０で生じたドレン水を受け止める。
【００３０】
（１−５）本体電装部
本体電装部１５０は、室内熱交換器１３０およびドレンパン１４０の前方に配置されている。本体電装部１５０は、通風経路外に配置されている。本実施形態においては、本体電装部１５０は、前面グリル１１７の上面（裏面）側に配置されている。
【００３１】
詳しくは後述するが、本体電装部１５０は、赤外線受信部１５１と、電源供給部１５３と、表示部１５４とを有する。電源供給部１５３は、表示部１５４を挟んで、無線ＬＡＮアダプタ１６０とは反対側に配置されている。
【００３２】
（１−６）無線ＬＡＮアダプタ
無線ＬＡＮアダプタ１６０は、室内熱交換器１３０およびドレンパン１４０の前方に配置されている。無線ＬＡＮアダプタ１６０は、通風経路外に配置されている。本実施形態においては、本体電装部１５０は、前面グリル１１７の上面側に配置されている。無線ＬＡＮアダプタ１６０は、本体電装部１５０に隣接して位置している。無線ＬＡＮアダプタ１６０は、ワイヤハーネス１７０を介して、本体電装部１５０に電気的に接続されている。
【００３３】
（１−７）ストリーマ放電ユニット
ストリーマ放電ユニット１８０は、室内熱交換器１３０およびドレンパン１４０の前方に配置されている。ストリーマ放電ユニット１８０は、通風経路外に配置されている。本実施形態においては、ストリーマ放電ユニット１８０は、前面グリル１１７の上面側に配置されている。ストリーマ放電ユニット１８０は、無線ＬＡＮアダプタ１６０を挟んで、本体電装部１５０とは反対側に配置されている。ストリーマ放電ユニット１８０は、ストリーマ放電により低温プラズマを生成して被処理空気を清浄化する。
【００３４】
（２）空気調和機の機能ブロック
図４は、空気調和機１００の機能ブロックの一例を説明する図である。空気調和機１００は、本体電装部１５０および無線ＬＡＮアダプタ１６０に加えて、リモートコントローラ２００をさらに備える。
【００３５】
リモートコントローラ２００は、無線ＬＡＮとは異なる通信規格で、ユーザ操作に応じたコマンド信号を本体電装部１５０に送信する。本実施形態においては、リモートコントローラ２００は、赤外線により、コマンド信号を送信する。コマンド信号は、無線ＬＡＮアダプタ１６０の電源に関するコマンド信号、および無線ＬＡＮアダプタ１６０の初期設定に関するコマンド信号を含む。
【００３６】
リモートコントローラ２００は、液晶表示部を有する。ユーザは、リモートコントローラ２００を操作することにより、液晶表示部に各種のメニュー画面等を表示させることができる。また、各種のメニュー画面の項目を選択することができる。
【００３７】
本体電装部１５０は、赤外線受信部１５１、電源供給部１５３、および表示部１５４に加えて、本体制御部１５２を有する。本体制御部１５２は、赤外線受信部１５１、電源供給部１５３、および表示部１５４に電気的に接続されている。
【００３８】
赤外線受信部１５１は、リモートコントローラ２００から送信されるコマンド信号を受信する。赤外線受信部１５１は、受信したコマンド信号を本体制御部１５２に送信する。
【００３９】
本体制御部１５２は、ＭＰＵ、ＲＯＭおよびＲＡＭ等から構成されたコンピュータである。本体制御部１５２は、赤外線受信部１５１から送信されるコマンド信号を受信し、受信したコマンド信号に応じて、空気調和機１００の各種の設定を行う。特に、本実施形態においては、本体制御部１５２は、無線ＬＡＮアダプタ１６０の電源に関するコマンド信号を受信すると、受信したコマンド信号に応じて、電源供給部１５３を制御する。
【００４０】
本体制御部１５２は、ワイヤハーネス１７０を介して、後述の無線制御部１６２と通信する。本体制御部１５２は、無線ＬＡＮアダプタ１６０の初期設定に関するコマンド信号を受信すると、初期設定に関する制御信号を無線制御部１６２に送信する。
【００４１】
本体制御部１５２は、無線制御部１６２との通信に応じて、表示部１５４を制御する。また、リモートコントローラ２００との通信に応じて、表示部１５４を制御する。
【００４２】
電源供給部１５３は、赤外線受信部１５１、本体制御部１５２、表示部１５４、および無線ＬＡＮアダプタ１６０に電源電圧を供給する。本実施形態においては、電源供給部１５３は、表示部１５４を経由して、無線ＬＡＮアダプタ１６０に電源電圧を供給する。換言すると、無線ＬＡＮアダプタ１６０は、電源供給部１５３から直接に電源電圧を得るのではなく、表示部１５４から電源電圧を得る。
【００４３】
表示部１５４は、１以上のＬＥＤにより構成されている。本実施形態においては、表示部１５４は、空調動作に関する表示を行うと共に、無線ＬＡＮアダプタ１６０の動作に関する表示を行う。すなわち、表示部１５４は、本体制御部１５２および無線ＬＡＮアダプタ１６０に兼用される。表示部１５４は、無線ＬＡＮアダプタ１６０の動作に関する表示として、例えば、無線ＬＡＮアダプタ１６０の電源のオンに関する表示、および無線ＬＡＮアダプタ１６０の初期設定に関する表示を行う。
【００４４】
無線ＬＡＮアダプタ１６０は、空気調和機１００を無線によりＬＡＮに接続するためのネットワークアダプタである。無線ＬＡＮアダプタ１６０は、無線通信部１６１と、無線制御部１６２と、電源受給部１６３とを有する。無線制御部１６２は、無線通信部１６１および電源受給部１６３に電気的に接続されている。
【００４５】
無線通信部１６１は、無線ＬＡＮ７００を介して、ルータ５００に接続されている。無線通信部１６１は、無線ＬＡＮ７００を介して、通信端末３００および外部サーバ６００と通信する。
【００４６】
無線制御部１６２は、ＭＰＵ、ＲＯＭおよびＲＡＭ等から構成されたコンピュータである。ＲＯＭには、無線ＬＡＮアダプタ１６０の初期設定に関するプログラム等が記憶されている。無線制御部１６２は、通信端末３００または外部サーバ６００から送信された、空気調和機１００の操作コマンドを受信する。受信した操作コマンドに応じて本体制御部１５２と通信する。無線制御部１６２は、本体制御部１５２から送信された空気調和機１００に関する情報を受信する。受信した空気調和機１００に関する情報に応じて、通信端末３００または外部サーバ６００と通信する。
【００４７】
無線制御部１６２は、無線ＬＡＮアダプタ１６０の初期設定に関する制御信号を本体制御部１５２から受信する。無線制御部１６２は、受信した制御信号に基づいて、初期設定を行う。初期設定は、無線ＬＡＮアダプタ１６０とルータ５００の接続設定、および無線ＬＡＮアダプタ１６０と通信端末３００の接続設定を含む。
【００４８】
電源受給部１６３は、表示部１５４を介して電源供給部１５３から供給される電源電圧を受給する。電源受給部１６３は、ＤＣ−ＤＣコンバータ１６４を含む。ＤＣ−ＤＣコンバータ１６４は、電源供給部１５３から供給される電源電圧を変換し、無線ＬＡＮアダプタ用の電源電圧を生成する。電源受給部１６３は、無線通信部１６１および無線制御部１６２に生成した電源電圧を供給する。
【００４９】
既に説明したように、無線ＬＡＮアダプタ１６０は、表示部１５４を本体制御部１５２と兼用するので、表示部を備えていない。すなわち、ＬＥＤを備えていない。また、詳しくは後述するが、無線ＬＡＮアダプタ１６０の電源オンおよび初期設定は、リモートコントローラ２００を介して行われるので、無線ＬＡＮアダプタ１６０は、電源スイッチおよび初期設定用スイッチを備えていない。
【００５０】
通信端末３００は、スマートフォン、タブレット、携帯電話、ノートＰＣ等の通信端末である。通信端末３００は、インターネット４００を介して、外部サーバ６００と通信する。通信端末３００は、例えば、外部サーバ６００から空調管理アプリケーションをダウンロードする。通信端末３００は、インターネット４００を介して、無線ＬＡＮアダプタ１６０と通信する。ユーザは、空調管理アプリケーションを利用することにより、空気調和機１００に関する情報を監視したり、空気調和機１００の操作を行ったりすることができる。なお、通信端末３００は、インターネット４００を介さずに、無線ＬＡＮを介して、無線ＬＡＮアダプタ１６０と通信することもできる。すなわち、通信端末３００は、外部サーバ６００を介さずに、無線ＬＡＮアダプタ１６０に直接に空気調和機１００の操作コマンドを送信したり、無線ＬＡＮアダプタ１６０から直接に空気調和機１００に関する情報を受信したりすることもできる。
【００５１】
ルータ５００は、ＷＡＮ側のインターフェースと、ＬＡＮ側のインターフェースとを有する。ルータ５００は、ＷＡＮとＬＡＮを相互接続させる。無線ＬＡＮアダプタ１６０が無線ＬＡＮに接続されると、ルータ５００は、無線ＬＡＮアダプタ１６０を自動的に検出し、ネットワーク情報を登録する。これにより、無線ＬＡＮアダプタ１６０は、無線ＬＡＮに接続されている他のネットワーク機器、およびインターネット４００上のネットワーク機器と通信することができる。
【００５２】
外部サーバ６００は、空気調和機１００の空調管理サービスを行う。外部サーバ６００は、空調管理アプリケーションを実行している通信端末３００と適宜通信する。例えば、空気調和機１００の操作コマンドを通信端末３００から受信する。外部サーバ６００は、受信した操作コマンドを無線ＬＡＮアダプタ１６０に送信する。また、空気調和機１００に関する情報を無線ＬＡＮアダプタ１６０から受信する。外部サーバ６００は、空気調和機１００に関する情報を通信端末３００に送信する。
【００５３】
（３）フローチャート
図５は、無線ＬＡＮアダプタ１６０の初期設定に関する処理のフローチャートの一例を示す図である。本フローチャートは、空気調和機１００の電源がオンされ、かつ、リモートコントローラ２００のメニュー画面を介して、電源および初期設定の項目が選択された場合に開始される。
【００５４】
本体制御部１５２は、電源コマンド信号を受信したか判定する（ステップＳ１０１）。ユーザは、例えば、リモートコントローラ２００のメニュー画面から電源オンボタンを選択する。これにより、本体制御部１５２に電源コマンド信号を送信することができる。
【００５５】
本体制御部１５２は、電源コマンド信号を受信していないと判定した場合には（ステップＳ１０１でＮＯ）、そのまま待機する。本体制御部１５２は、電源コマンド信号を受信したと判定した場合には（ステップＳ１０１でＹＥＳ）、無線ＬＡＮアダプタ１６０に電源電圧を供給する（ステップＳ１０２）。これにより、無線ＬＡＮアダプタ１６０の電源はオンされる。
【００５６】
続いて、本体制御部１５２は、初期設定コマンド信号を受信したか判定する（ステップＳ１０３）。ユーザは、例えば、リモートコントローラ２００のメニュー画面から初期設定ボタンを選択する。これにより、本体制御部１５２に初期設定コマンド信号を送信することができる。
【００５７】
本体制御部１５２は、初期設定コマンド信号を受信していないと判定した場合には（ステップＳ１０３でＮＯ）、そのまま待機する。本体制御部１５２は、初期設定コマンド信号を受信したと判定した場合には（ステップＳ１０３でＹＥＳ）、無線ＬＡＮアダプタ１６０に初期設定に関する制御信号を送信して（ステップＳ１０４）、一連の処理を終了する。無線ＬＡＮアダプタ１６０は、初期設定に関する制御信号を受信すると、無線ＬＡＮアダプタ１６０の初期設定に関するプログラムを実行する。
【００５８】
（４）空気調和機の特徴
本実施形態の空気調和機１００は、本体電装部１５０と、無線ＬＡＮアダプタ１６０と、リモートコントローラ２００とを備える。本体電装部１５０は、本体制御部１５２を有する。無線ＬＡＮアダプタ１６０は、本体電装部１５０に接続されている。リモートコントローラ２００は、ユーザ操作に基づいて、赤外線により、本体制御部１５２にコマンド信号を送信する。本体制御部１５２は、無線ＬＡＮアダプタ１６０の電源に関するコマンド信号を受信した場合に、無線ＬＡＮアダプタ１６０の電源をオンにする。
【００５９】
本実施形態の空気調和機１００では、ユーザは、リモートコントローラ２００を操作することによって、無線ＬＡＮアダプタ１６０の電源をオンにすることができる。したがって、ユーザは、空気調和機１００の前面パネルをわざわざ開けて、無線ＬＡＮアダプタ１６０を直接操作しなくてもよい。よって、無線ＬＡＮアダプタ１６０の電源をオンにするための作業の煩雑さを低減することができる。また、無線ＬＡＮアダプタ１６０が電源スイッチを備えなくてもよいので、無線ＬＡＮアダプタ１６０の構成を簡略化することができる。
【００６０】
本実施形態の空気調和機１００においては、本体制御部１５２は、無線ＬＡＮアダプタ１６０の初期設定に関するコマンド信号を受信した場合に、初期設定に関する制御信号を無線ＬＡＮアダプタ１６０に送信する。無線ＬＡＮアダプタ１６０は、制御信号に基づいて、初期設定を行う。
【００６１】
本実施形態の空気調和機１００では、ユーザは、リモートコントローラ２００を操作することによって、無線ＬＡＮアダプタ１６０の初期設定を行うことができる。したがって、ユーザは、空気調和機１００の前面パネルをわざわざ開けて、無線ＬＡＮアダプタ１６０を直接操作しなくてもよい。よって、無線ＬＡＮアダプタ１６０の初期設定をするための作業の煩雑さを低減することができる。また、無線ＬＡＮアダプタ１６０が初期設定用スイッチを備えなくてもよいので、無線ＬＡＮアダプタ１６０の構成を簡略化することができる。
【００６２】
本実施形態の空気調和機１００においては、本体電装部１５０は、表示部１５４を有する。表示部１５４は、空気調和機１００の空調動作に関する表示を行うと共に、無線ＬＡＮアダプタ１６０の動作に関する表示を行う。すなわち、表示部１５４は、本体制御部１５２および無線ＬＡＮアダプタ１６０により兼用されている。無線ＬＡＮアダプタ１６０が表示部を別途備えなくてもよいので、無線ＬＡＮアダプタ１６０の構成を簡略化することができる。
【００６３】
本実施形態の空気調和機１００においては、無線ＬＡＮアダプタ１６０は、本体電装部１５０に隣接して配置されている。したがって、ワイヤハーネス１７０の長さの増大を抑制することができる。
【００６４】
本実施形態の空気調和機１００においては、本体電装部１５０は、無線ＬＡＮアダプタ１６０に接続された電源供給部１５３を有する。電源供給部１５３は、表示部１５４を挟んで、無線ＬＡＮアダプタ１６０とは反対側に配置されている。電源供給部１５３は、表示部１５４を経由して、無線ＬＡＮアダプタ１６０に電源電圧を供給することにより、無線ＬＡＮアダプタ１６０の電源をオンにする。すなわち、無線ＬＡＮアダプタ１６０は、電源供給部１５３から直接に電源電圧を得るのではなく、表示部１５４から電源電圧を得る。表示部１５４は、電源供給部１５３よりも無線ＬＡＮアダプタ１６０に近い位置に配置されているので、ワイヤハーネス１７０の長さの増大を抑制することができる。
【００６５】
本実施形態の空気調和機１００においては、無線ＬＡＮアダプタ１６０は、ＤＣ−ＤＣコンバータ１６４を有する。ＤＣ−ＤＣコンバータ１６４は、本体電装部１５０から供給された電源電圧を無線ＬＡＮアダプタ用の電源電圧に変換する。これにより、無線ＬＡＮアダプタ１６０内で、無線ＬＡＮアダプタ１６０の各種回路で必要な電源電圧を得ることができる。
【００６６】
本実施形態の空気調和機１００においては、無線ＬＡＮアダプタ１６０は、室内熱交換器１３０およびドレンパン１４０よりも前方で、かつ、通風経路外に配置されている。したがって、通風性能を低下させることなく、無線ＬＡＮアダプタ１６０を配置することができる。
【００６７】
＜変形例＞
本発明の実施形態に適用可能な変形例を説明する。
【００６８】
（１）変形例Ａ
以上の説明では、無線ＬＡＮアダプタ１６０は、室内熱交換器１３０およびドレンパン１４０よりも前方に配置されたが、通風経路外であれば、他の部分に配置されてもよい。
【００６９】
（２）変形例Ｂ
以上の説明では、リモートコントローラ２００は、赤外線により、本体制御部１５２と通信したが、他の近距離無線通信規格により、本体制御部１５２と通信してもよい。例えば、ブルートゥースを挙げることができる。
【００７０】
以上のように、本発明は実施形態を用いて説明されたが、本発明の技術的範囲は上記の実施形態に記載の範囲に限定されない。多様な変更または改良を上記の実施形態に加えることが可能であることは、当業者に明らかである。その様な変更または改良を加えた形態も本発明の技術的範囲に含まれ得ることは、特許請求の範囲の記載から明らかである。
【００７１】
特許請求の範囲、明細書、および図面中に示した装置、プログラム、および方法における動作、手順、ステップ、段階等の各処理の実行順序は、特段「より前に」、「先立って」等と明示しておらず、また、前の処理の出力を後の処理で用いる場合でない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７２】
１００  空気調和機
１３０  室内熱交換器
１４０  ドレンパン
１５０  本体電装部
１５２  本体制御部
１５３  電源供給部
１５４  表示部
１６０  無線ＬＡＮアダプタ
１６４  ＤＣ−ＤＣコンバータ
２００  リモートコントローラ
【先行技術文献】
【特許文献】
【００７３】
【特許文献１】特開２０１５−０８１７２３号公報